(57)【要約】【課題】簡単な構成でありながら、ユーザに対して、エネルギー使用量が目標を達成していない原因を知らせて、負荷機器の使用の改善を促す。【解決手段】管理システム１は、負荷機器７を管理する管理装置２と、管理装置２の制御に従って動作する表示器３とを備える。管理装置２は、コントローラ側記憶部と、実績取得部と、表示制御部とを備えている。コントローラ側記憶部は、目標ルール格納エリアに、複数の負荷機器７の各々に対して個別に運転内容の目標を示す運転目標を記憶する。実績取得部は、複数の負荷機器７の各々の運転内容の実績を示す運転実績を取得する。表示制御部は、複数の負荷機器７の各々について運転目標と運転実績とを同じ画面で表示器３に表示させる。【選択図】図１
2013211996.tif 000002
【特許請求の範囲】
【請求項１】
複数の負荷機器の各々に対して個別に運転内容の目標を示す運転目標を記憶する記憶部と、
前記複数の負荷機器の各々の前記運転内容の実績を示す運転実績を取得する実績取得部と、
前記複数の負荷機器の各々について前記運転目標と前記運転実績とを同じ画面で表示器に表示させる表示制御部と
を備えることを特徴とする管理装置。
【請求項２】
前記運転内容は、予め決められた単位期間の総運転時間であることを特徴とする請求項１記載の管理装置。
【請求項３】
前記運転内容は、運転時間帯であることを特徴とする請求項１記載の管理装置。
【請求項４】
前記運転内容は、前記負荷機器の運転モードであることを特徴とする請求項１記載の管理装置。
【請求項５】
前記運転内容は、前記負荷機器ごとに、予め決められた単位期間の総運転時間、運転時間帯および前記負荷機器の運転モードの中から選択されることを特徴とする請求項１記載の管理装置。
【請求項６】
前記表示制御部は、前記運転実績と前記運転目標との差異に対応するエネルギー量を前記表示器に表示させることを特徴とする請求項１〜５のいずれか１項に記載の管理装置。
【請求項７】
前記運転実績と前記運転目標との差異が大きい場合に、当該差異が小さくなる方向に当該運転目標を変更する目標設定部を備えることを特徴とする請求項１〜６のいずれか１項に記載の管理装置。
【請求項８】
前記運転目標よりも消費エネルギーが増大する方向に前記運転内容が変化した際に当該運転内容を一定時間継続させてから消費エネルギーが減少する方向に制限する負荷制御部を備えることを特徴とする請求項１〜７のいずれか１項に記載の管理装置。
【請求項９】
前記運転目標と前記運転実績とを同じ画面で前記表示器に表示させない特異日を設定する設定部を備えることを特徴とする請求項１〜８のいずれか１項に記載の管理装置。
【請求項１０】
予め決められた空間内の人数を検出する人数検出手段を備え、
前記記憶部は、前記運転目標を人数別に記憶し、
前記表示制御部は、前記人数検出手段で検出された前記人数に対応して前記記憶部に記憶されている前記運転目標と前記運転実績とを同じ画面で前記表示器に表示させる
ことを特徴とする請求項１〜９のいずれか１項に記載の管理装置。
【請求項１１】
請求項１〜１０のいずれか１項に記載の管理装置と、
前記管理装置の制御に従って動作する表示器と
を備えることを特徴とする管理システム。
【請求項１２】
コンピュータを、
複数の負荷機器の各々に対して個別に運転内容の目標を示す運転目標を記憶する記憶部、
前記複数の負荷機器の各々の前記運転内容の実績を示す運転実績を取得する実績取得部、および、
前記複数の負荷機器の各々について前記運転目標と前記運転実績とを同じ画面で表示器に表示させる表示制御部
として機能させるためのプログラム。
【発明の詳細な説明】
【技術分野】
【０００１】
本発明は、複数の負荷機器を管理する管理装置、管理システムおよびプログラムに関する。
【背景技術】
【０００２】
近年、電力事情の悪化や省エネルギー化の点から、需要家での節電が推奨されている。このため、需要家では、負荷機器の電力使用量を管理する管理装置が設置され始めている。
【０００３】
上記のような管理装置として、特許文献１には、複数の家電機器を管理する電力管理装置が開示されている。特許文献１に記載された電力管理装置は、各家電機器の消費電力を集計し、現在の総消費電力量を表示手段に表示させることができる。また、特許文献１に記載された電力管理装置は、現在の総消費電力量が所定値を超えそうな場合に、警告メッセージを出力することができる。
【先行技術文献】
【特許文献】
【０００４】
【特許文献１】特開平９−８４１４６号公報
【発明の概要】
【発明が解決しようとする課題】
【０００５】
しかしながら、特許文献１に記載された電力管理装置は、現在の総消費電力量が所定値を超えそうな場合に、その旨をユーザに知らせることができるが、どの家電機器を無駄に使用しているのかを知らせることができなかった。このため、ユーザは、現在の総消費電力量が所定値を超えても、どのように改善すればよいのかわからなかった。
【０００６】
本発明は上記の点に鑑みて為された発明であり、本発明の目的は、簡単な構成でありながら、ユーザに対して、エネルギー使用量が目標を達成していない原因を知らせて、負荷機器の使用の改善を促すことができる管理装置、管理システムおよびプログラムを提供することにある。
【課題を解決するための手段】
【０００７】
本発明の管理装置は、複数の負荷機器の各々に対して個別に運転内容の目標を示す運転目標を記憶する記憶部と、前記複数の負荷機器の各々の前記運転内容の実績を示す運転実績を取得する実績取得部と、前記複数の負荷機器の各々について前記運転目標と前記運転実績とを同じ画面で表示器に表示させる表示制御部とを備えることを特徴とする。
【０００８】
この管理装置において、前記運転内容は、予め決められた単位期間の総運転時間であることが好ましい。
【０００９】
この管理装置において、前記運転内容は、運転時間帯であることが好ましい。
【００１０】
この管理装置において、前記運転内容は、前記負荷機器の運転モードであることが好ましい。
【００１１】
この管理装置において、前記運転内容は、前記負荷機器ごとに、予め決められた単位期間の総運転時間、運転時間帯および前記負荷機器の運転モードの中から選択されることが好ましい。
【００１２】
この管理装置において、前記表示制御部は、前記運転実績と前記運転目標との差異に対応するエネルギー量を前記表示器に表示させることが好ましい。
【００１３】
この管理装置において、前記運転実績と前記運転目標との差異が大きい場合に、当該差異が小さくなる方向に当該運転目標を変更する目標設定部を備えることが好ましい。
【００１４】
この管理装置において、前記運転目標よりも消費エネルギーが増大する方向に前記運転内容が変化した際に当該運転内容を一定時間継続させてから消費エネルギーが減少する方向に制限する負荷制御部を備えることが好ましい。
【００１５】
この管理装置において、前記運転目標と前記運転実績とを同じ画面で前記表示器に表示させない特異日を設定する設定部を備えることが好ましい。
【００１６】
この管理装置において、予め決められた空間内の人数を検出する人数検出手段を備え、前記記憶部は、前記運転目標を人数別に記憶し、前記表示制御部は、前記人数検出手段で検出された前記人数に対応して前記記憶部に記憶されている前記運転目標と前記運転実績とを同じ画面で前記表示器に表示させることが好ましい。
【００１７】
本発明の管理システムは、前記管理装置と、前記管理装置の制御に従って動作する表示器とを備えることを特徴とする。
【００１８】
本発明のプログラムは、コンピュータを、複数の負荷機器の各々に対して個別に運転内容の目標を示す運転目標を記憶する記憶部、前記複数の負荷機器の各々の前記運転内容の実績を示す運転実績を取得する実績取得部、および、前記複数の負荷機器の各々について前記運転目標と前記運転実績とを同じ画面で表示器に表示させる表示制御部として機能させるためのプログラムである。
【発明の効果】
【００１９】
本発明の管理装置、管理システムおよびプログラムでは、複数の負荷機器の各々について運転目標と運転実績とを表示器に表示させることによって、簡単な構成でありながら、エネルギー使用量が目標を達成していない原因をユーザに知らせることができる。これにより、負荷機器の使用の改善を促すことができる。
【図面の簡単な説明】
【００２０】
【図１】実施形態１に係る管理システムの構成を示すブロック図である。
【図２】実施形態１に係る管理装置の構成を示すブロック図である。
【図３】実施形態１に係る空調機器の構成を示すブロック図である。
【図４】実施形態１に係る分電盤および電力計測ユニットの構成を示すブロック図である。
【図５】実施形態１に係る表示器の構成を示すブロック図である。
【図６】実施形態１に係る設定画面を示す図である。
【図７】実施形態１に係る目標・実績表示画面を示す図である。
【図８】実施形態１に係る目標ルール格納エリアの内部構成を示す図である。
【図９】実施形態１に係る負荷状態格納エリアの内部構成を示す図である。
【図１０】実施形態２に係る設定画面を示す図である。
【図１１】実施形態２に係る目標・実績表示画面を示す図である。
【図１２】実施形態３に係る設定画面を示す図である。
【図１３】実施形態３に係る目標・実績表示画面を示す図である。
【図１４】実施形態４に係る設定画面を示す図である。
【図１５】実施形態５に係る電力計測値格納エリアの構成を示す図である。
【図１６】実施形態５に係る目標・実績表示画面を示す図である。
【図１７】実施形態６に係る目標・実績表示画面を示す図である。
【図１８】実施形態６に係る目標ルール自動変更後の目標・実績表示画面を示す図である。
【図１９】実施形態７に係る管理システムの動作を示すフローチャートである。
【図２０】実施形態７に係る表示画面を示す図である。
【図２１】実施形態８に係る目標・実績表示画面を示し、（ａ）は特異日の設定がない場合の図、（ｂ）は特異日の設定がある場合の図である。
【図２２】実施形態９に係る目標・実績表示画面を示す図である。
【発明を実施するための形態】
【００２１】
（実施形態１）
実施形態１に係る管理システム１は、図１に示すように、負荷機器７を管理する管理装置（コントローラ）２と、管理装置２の制御に従って動作する表示器３と、交流電力を分電する分電盤４１と、分電盤４１内の各種電力を計測する電力計測ユニット４２とを備えている。また、管理システム１は、ネットワーク（図示せず）を介してセンターサーバ５に接続されている。この管理システム１は、戸建住宅である住戸（図示せず）に設置され、商用電力系統６からの商用電力を複数（図示例では３台）の負荷機器７に給電し、各負荷機器７を管理する。
【００２２】
このような管理システム１において、管理装置２は、複数の負荷機器７の各々について運転目標を設定し、上記運転目標と運転実績とを同じ画面で表示器３に表示させる機能を有している。以下、管理システム１の各構成要素と負荷機器７とについて詳細に説明する。
【００２３】
負荷機器７は、例えば空調機器（エアコン）７１やテレビ、ＩＨ調理器等の家電機器である。なお、負荷機器７２，７３は、コンセント７４に接続されている。
【００２４】
空調機器７１は、図３に示すように、送風機７１１と、風向手段７１２と、室外機７１３と、付属リモコン７１４（図１参照）からリモコン信号を受信するリモコン受信部７１５とを備えている。また、空調機器７１は、送風機７１１および風向手段７１２の制御および監視を行う室内機制御監視部７１６と、室外機７１３の制御および監視を行う室外機制御監視部７１７と、空調機器７１全体を制御する機器側制御部７１８とを備えている。空調機器７１は、付属リモコン７１４によるユーザの設定操作または管理装置２からの指示に従って設定内容を変更する。付属リモコン７１４は、空調機器７１の付属機器として設けられており、例えば複数の操作ボタン等の操作手段を有し、ユーザの操作によって空調機器７１の設定温度が入力され、ユーザの操作に応じた操作内容を含む制御信号を赤外線信号で空調機器７１へ送信する。
【００２５】
上記のような構成の空調機器７１は、設定操作を受け付けると、設定操作の内容に応じて空調機器７１の設定内容を変更する。設定操作によって空調機器７１の設定内容を変更すると、空調機器７１は、状態変化情報を管理装置２に出力する。状態変化情報は、空調機器７１の設定変更の内容を表わす情報である。
【００２６】
分電盤４１は、図４に示すように、主幹ブレーカ４１１と、複数（図示例では３台）の分岐ブレーカ４１２，４１２，４１２とを備えている。主幹ブレーカ４１１は、商用電力系統６から交流電力を取得し、取得した交流電力を各分岐ブレーカ４１２に出力する。分岐ブレーカ４１２は、直接またはコンセント７４を介して負荷機器７へ電力を供給する。
【００２７】
電力計測ユニット４２は、第１の電流検出部４２１と、複数（図示例では３台）の第２の電流検出部４２２，４２２，４２２と、ユニット側制御部４２３と、ユニット側通信部４２４とを備えている。第１の電流検出部４２１は、変流器４３１を用いて、主幹ブレーカ４１１の入力側の主幹回路に流れる電流を検出する。第２の電流検出部４２２は、変流器４３２を用いて、負荷機器７が接続されている分岐ブレーカ４１２に流れる電流を検出する。ユニット側制御部４２３は、ＣＰＵ（Central Processing Unit：中央処理装置）を主構成要素とし、第１の電流検出部４２１で検出された電流から主幹回路の電力すなわち総使用電力を算出する機能と、第２の電流検出部４２２で検出された負荷機器７の電流から負荷機器７の使用電力を算出する機能とを有している。ユニット側通信部４２４は、ユニット側制御部４２３の指示に従って、総使用電力と各負荷機器７の使用電力とを表わす使用電力情報を管理装置２へ送信する。
【００２８】
管理装置２は、ＣＰＵおよびメモリが搭載されたコンピュータ（マイクロコンピュータを含む）を主構成要素とし、図２に示すように、第１の通信部２１と、第２の通信部２２と、第３の通信部２３と、第４の通信部２４とを備えている。また、管理装置２は、コントローラ側記憶部２５と、計時部２６と、処理装置２７とを備えている。
【００２９】
第１の通信部２１は、有線または無線によって電力計測ユニット４２と通信する機能を有し、電力計測ユニット４２から使用電力情報を受信する。第２の通信部２２は、無線または有線によって各負荷機器７と通信する機能を有し、各負荷機器７から状態変化情報を受信する。第３の通信部２３は、有線または無線によって表示器３と通信する機能を有し、運転目標および運転実績を表わす情報を表示器３へ送信する。第４の通信部２４は、ネットワーク（図示せず）を介してセンターサーバ５と通信する機能を有している。
【００３０】
センターサーバ５は、例えば電力会社や電力会社に代わってサービスを代行するサービス提供会社などに設置された装置であり、需要家に節電を要請する際に節電内容を含む節電要請を管理装置２に送信する。節電内容は、例えば「前年よりも１０％の節電」などである。管理装置２側では、第４の通信部２４がセンターサーバ５から節電要請を受信する。これにより、ユーザは、管理装置２で取得された節電要請に含まれている節電内容を見て、各負荷機器７の運転目標を決定することができる。また、管理装置２で取得された節電要請に含まれている節電内容に応じて、各負荷機器７の運転目標を自動で設定することもできる。
【００３１】
コントローラ側記憶部２５は、目標ルール格納エリア２５１と、負荷状態格納エリア２５２と、電力計測値格納エリア２５３とを備えている。
【００３２】
目標ルール格納エリア２５１には、図８に示すように、目標ルールが格納されている。目標ルール格納エリア２５１に格納されている目標ルールは、複数の負荷機器７（図８では「リビングエアコン」・「寝室エアコン」・「リビングＴＶ」・「キッチンＩＨ」）の各々に対する運転目標である。
【００３３】
負荷状態格納エリア２５２には、図９に示すように、第２の通信部２２で受信された状態変化情報が格納されている。図９の例では、負荷状態格納エリア２５２には、タイムスタンプと、負荷機器７と、負荷機器７の動作と、負荷機器７の運転モードとが対応付けられて格納されている。
【００３４】
図２に示す電力計測値格納エリア２５３には、電力計測ユニット４２からの使用電力情報が格納されている。
【００３５】
本実施形態の運転内容は、予め決められた単位期間の総運転時間である。図８の例では、運転目標として、１日の目標使用時間と１ヶ月の目標使用時間とが設定されている。
【００３６】
図２に示す計時部２６は、例えばＲＴＣ（Real Time Clock）であり、現在時刻を計時する。
【００３７】
処理装置２７は、コンピュータに搭載されたＣＰＵを主構成要素とし、コントローラ側記憶部２５に格納されているプログラムに従って動作することによって、管理装置２全体を制御する。主に、処理装置２７は、後述の目標設定部２７１、実績取得部２７２、表示制御部２７３および負荷制御部２７４として機能する。
【００３８】
目標設定部２７１は、表示器３への入力情報に従って、複数の負荷機器７の各々に対して個別に運転目標を設定する。本実施形態の目標設定部２７１は、運転目標として、予め決められた単位期間の総運転時間を設定する。
【００３９】
実績取得部２７２は、負荷機器７ごとに、負荷状態格納エリア２５２に格納されている動作ログ（状態変化情報）から運転実績を求めることによって、上記運転実績を取得する。運転実績は、各負荷機器７の運転内容の実績を示す。
【００４０】
表示制御部２７３は、複数の負荷機器７の各々について、目標ルール格納エリア２５１で設定された運転目標と、負荷状態格納エリア２５２に格納されている運転実績とを同じ画面で表示器３に表示させる。
【００４１】
負荷制御部２７４は、必要に応じて各負荷機器７の動作を制御する。例えば負荷機器７が空調機器７１である場合、負荷制御部２７４は、空調機器７１の設定内容を変更するための制御信号を空調機器７１に送信することができる。
【００４２】
表示器３は、管理装置２の制御に従って、各種の情報を表示する。この表示器３は、図５に示すように、表示器側記憶部３１と、モニタ部３２と、操作部３３と、表示器側通信部３４と、表示器側制御部３５とを備えている。表示器側記憶部３１は、各種情報を記憶している。モニタ部３２は、例えば液晶ディスプレイ（ＬＣＤ：Liquid Crystal Display）または有機ＥＬ（Electro-Luminescence）ディスプレイ等であり、管理装置２からの情報および表示器側記憶部３１に記憶されている情報を表示する。操作部３３は、例えば複数の操作ボタンまたはタッチパネル等を備えており、ユーザが管理装置２への各種指示を入力する場合に用いられる。表示器側通信部３４は、管理装置２と通信する機能を有し、操作部３３に入力された入力情報（運転目標）を管理装置２へ送信したり、各負荷機器７の運転目標と運転実績とを管理装置２から受信したりする。表示器側制御部３５は、表示器３の各種機能を制御する。
【００４３】
このような構成の表示器３において、モニタ部３２は、各負荷機器７の運転目標を設定するための設定画面３６（図６参照）を表示する。表示器側記憶部３１は、設定画面３６をモニタ部３２に表示させるための設定画面データ３１１を記憶している。モニタ部３２に設定画面３６が表示されている場合、操作部３３には、負荷機器７の運転目標が入力される。図６の例では、各負荷機器７の総運転時間が入力される。表示器側通信部３４は、操作部３３に入力された運転目標を管理装置２へ送信する。
【００４４】
また、表示器側通信部３４は、各負荷機器７の運転目標と運転実績とを管理装置２から取得する。モニタ部３２は、負荷機器７ごとに運転目標と運転実績とを示した目標・実績表示画面３７（図７参照）を表示する。すなわち、表示器３は、負荷機器７ごとに運転目標と運転実績とを同じ画面で表示する。これにより、ユーザは、運転目標を達成したか否かが一目瞭然となり、運転目標を達成していない場合に各負荷機器７の使用をユーザが改善することができる。表示器側記憶部３１は、目標・実績表示画面３７をモニタ部３２に表示するための目標・実績表示画面データ３１２を記憶している。
【００４５】
なお、図２に示す管理装置２のコントローラ側記憶部２５には、コンピュータである管理装置２が各種の機能を実行するためのプログラムが格納されている。すなわち、コントローラ側記憶部２５には、管理装置２を第１の通信部２１、第２の通信部２２、第３の通信部２３、第４の通信部２４、コントローラ側記憶部２５、計時部２６および処理装置２７として機能させるためのプログラムが格納されている。
【００４６】
次に、本実施形態に係る管理システム１の動作について図１を用いて説明する。まず、管理装置２は、表示器３が設定画面３６（図６参照）を表示するように表示器３を制御する。表示器３は、管理装置２の指示に従って設定画面３６を表示する。その後、ユーザは、設定画面３６を見ながら、負荷機器７ごとに運転目標として１日の目標運転時間および１か月の目標運転時間を入力する。ユーザの入力操作を受け付けた後、表示器３は各負荷機器７の運転目標を管理装置２へ送信する。管理装置２は、表示器３からの各負荷機器７の運転目標を設定し、目標ルール格納エリア２５１に格納する。なお、運転目標は、予め設定されたデフォルト値であってもよい。
【００４７】
その後、実際に負荷機器７が使用されると、管理装置２は、負荷機器７の状態変化を表わす状態変化情報を遂次、負荷機器７から取得し、負荷状態格納エリア２５２に格納する。その後、管理装置２は、負荷状態格納エリア２５２に格納されている動作ログから負荷機器７のオンからオフまでの運転時間を運転実績として蓄積処理する。管理装置２は、目標ルール格納エリア２５１に格納されている運転目標と、負荷状態格納エリア２５２に格納されている運転実績とを表示器３に出力する。表示器３は、運転目標と運転実績とを示す目標・実績表示画面３７（図７参照）を表示する。
【００４８】
以上説明した本実施形態の管理システム１では、管理装置２において、コントローラ側記憶部２５が各負荷機器７に対して個別に運転目標を記憶し、実績取得部２７２が各負荷機器７の運転実績を取得する。さらに、表示制御部２７３が各負荷機器７について運転目標と運転実績とを同じ画面で表示器３に表示させる。これにより、簡単な構成でありながら、エネルギー使用量が目標を達成できない原因をユーザに知らせることができ、改善を図ることができる。
【００４９】
（実施形態２）
実施形態２に係る管理システム１は、運転内容が１日の運転時間帯（使用時間帯）である点で、実施形態１に係る管理システム１と相違する。なお、実施形態１の管理システム１と同様の構成要素については、同一の符号を付して説明を省略する。
【００５０】
管理装置２は、表示器３が設定画面３６（図１０参照）を表示するように表示器３を制御する。表示器３は、管理装置２の指示に従って設定画面３６を表示する。その後、ユーザは、設定画面３６を見ながら、負荷機器７ごとに運転目標として目標運転時間帯（目標使用時間帯）を入力する。ユーザの入力操作を受け付けた後、表示器３は各負荷機器７の運転目標を管理装置２へ送信する。管理装置２は、表示器３からの各負荷機器７の運転目標を設定し、目標ルール格納エリア２５１に格納する。なお、運転目標は、予め設定されたデフォルト値であってもよい。
【００５１】
その後、管理装置２は、負荷機器７の動作ログを収集し、予め決められたタイミングで、目標ルール格納エリア２５１に格納されている運転目標と、負荷状態格納エリア２５２に格納されている運転実績とを表示器３に出力する。表示器３は、運転目標と運転実績とを示す目標・実績表示画面３７（図１１参照）を表示する。
【００５２】
以上説明した本実施形態の管理システム１では、運転内容が運転時間帯であるので、管理装置２において、運転目標を設定しやすく、かつ、運転目標と運転実績との差異が明示的になるので、改善を促しやすい。
【００５３】
（実施形態３）
実施形態３に係る管理システム１は、運転内容が負荷機器７の運転モードである点で、実施形態１に係る管理システム１と相違する。なお、実施形態１の管理システム１と同様の構成要素については、同一の符号を付して説明を省略する。
【００５４】
管理装置２は、表示器３が設定画面３６（図１２参照）を表示するように表示器３を制御する。表示器３は、管理装置２の指示に従って設定画面３６を表示する。その後、ユーザは、設定画面３６を見ながら、負荷機器７ごとに運転目標として運転モード（運転温度範囲）を入力する。ユーザの入力操作を受け付けた後、表示器３は各負荷機器７の運転目標を管理装置２へ送信する。管理装置２は、表示器３からの各負荷機器７の運転目標を設定し、目標ルール格納エリア２５１に格納する。なお、運転目標は、予め設定されたデフォルト値であってもよい。
【００５５】
その後、管理装置２は、負荷機器７の動作ログを収集し、予め決められたタイミングで、目標ルール格納エリア２５１に格納されている運転目標と、負荷状態格納エリア２５２に格納されている運転実績とを表示器３に出力する。表示器３は、運転目標と運転実績とを示す目標・実績表示画面３７（図１３参照）を表示する。
【００５６】
以上説明した本実施形態の管理システム１では、運転内容が負荷機器７の運転モードであるので、管理装置２において、一般的な省エネルギーの事例から運転目標の設定がしやすい。また、負荷機器７が空調機器７１である場合、付属リモコン７１４の設定温度に気を付けることで、運転目標を達成しやすい。
【００５７】
（実施形態４）
実施形態４に係る管理システム１は、運転内容を選択することができる点で、実施形態１に係る管理システム１と相違する。なお、実施形態１の管理システム１と同様の構成要素については、同一の符号を付して説明を省略する。
【００５８】
本実施形態の運転内容は、負荷機器７ごとに、予め決められた単位期間の総運転時間、運転時間帯および負荷機器７の運転モードの中から選択される。
【００５９】
本実施形態の目標設定部２７１は、負荷機器７ごとに、予め決められた単位期間の総運転時間、運転時間帯および負荷機器７の運転モードの中から運転目標を設定することができる。なお、実施形態１の目標設定部２７１と同様の機能については説明を省略する。
【００６０】
本実施形態の表示器３は、図１４に示す設定画面３６を表示する。ユーザは、設定画面３６を見ながら、負荷機器７ごとに、運転内容（図１４の「削減方法」）を選択する。図１４の例では、負荷機器７ごとに、「１」〜「４」の運転内容の種類があり、ユーザは、負荷機器７ごとに、「１」〜「４」のいずれかを選択する。これにより、負荷機器７ごとに最適な運転内容を選択することができる。
【００６１】
（実施形態５）
実施形態５に係る管理システム１は、運転実績と運転目標との差異に対応するエネルギー量を表示器３に表示する点で、実施形態１に係る管理システム１と相違する。なお、実施形態１の管理システム１と同様の構成要素については、同一の符号を付して説明を省略する。
【００６２】
本実施形態の表示制御部２７３は、運転実績と運転目標との差異に対応する消費電力量（エネルギー量）を表示器３に表示させる。図１５は、電力計測値格納エリア２５３の構成を示す。例えば運転目標が１日の総運転時間である場合、表示制御部２７３は、負荷機器７の動作ログより算出された負荷機器７の運転時間と、電力計測値格納エリア２５３に格納されている動作ログとにより、負荷機器７の１日の総電力使用量とを算出する。総電力使用量を算出した表示制御部２７３は、総運転時間と、その日の目標運転時間とを比較し、運転時間の差分に対応する電力量を表示器３に表示させる。
【００６３】
本実施形態の表示器３は、図１６に示すように、運転実績と運転目標との差異に対応する電力量を示す目標・実績表示画面３７を表示する。例えば図１６において、７月１日の場合、総電力使用量は３時間で３ｋＷｈとなる。表示器３は、総運転時間と目標運転時間との差分に対応する電力量（１ｋＷｈ）を表示器３に表示させる。７月２日では４ｋＷｈ（総運転時間＞目標運転時間）、７月３日では２ｋＷｈ（総運転時間＜目標運転時間）となる。また、表示器３は、１ヶ月の総運転時間と１ヶ月の目標運転時間との差分に対応する電力量（１．５ｋＷｈ）も表示する。なお、実施形態１の表示制御部２７３と同様の機能については説明を省略する。
【００６４】
以上説明した本実施形態の管理システム１では、管理装置２において、運転実績と運転目標との差異を具体的なエネルギー量で明示することができるので、目標実現に向けてユーザの達成意欲を高揚しやすい。
【００６５】
（実施形態６）
実施形態６に係る管理システム１は、管理装置２が運転目標を自動変更する点で、実施形態１に係る管理システム１と相違する。なお、実施形態１の管理システム１と同様の構成要素については、同一の符号を付して説明を省略する。
【００６６】
本実施形態の目標設定部２７１は、運転実績と運転目標との差異が大きい場合に、上記差異が小さくなる方向に上記運転目標を変更する。なお、実施形態１の目標設定部２７１と同様の機能については説明を省略する。
【００６７】
例えば運転目標が運転時間である場合、表示器３は、図１７に示すように、運転目標と運転実績とを示す目標・実績表示画面３７を表示する。この場合、全ての日において運転実績が運転目標を超えており、１日の目標運転時間（１時間）が余りにも小さいと判断する。毎日、運転目標を超えている運転実績をユーザが見ても、省エネルギーへの挑戦意欲が萎える可能性があるので、例えば当月の最初の１０日間で運転実績が運転目標を超える日が数日以上である場合、目標設定部２７１は、図１８に示すように、毎月１１日の０：００時に運転目標を自動的に変更する。
【００６８】
以上説明した本実施形態の管理システム１では、管理装置２において、目標設定部２７１が、一旦、運転目標を設定した後に、運転実績と運転目標との差異が大きい場合に、上記差異が小さくなる方向に運転目標を変更する。これにより、ユーザは、無理な運転目標または安易な運転目標の設定を改善することができ、本装置の使用を持続しやすい。
【００６９】
（実施形態７）
実施形態７に係る管理システム１は、管理装置２が運転目標に基づいて負荷機器７を自動制御する点で、実施形態１に係る管理システム１と相違する。なお、実施形態１の管理システム１と同様の構成要素については、同一の符号を付して説明を省略する。
【００７０】
本実施形態の負荷制御部２７４は、運転目標よりも消費エネルギーが増大する方向に運転内容が変化した際に上記運転内容を一定時間継続させてから消費エネルギーが減少する方向に制限する。これにより、運転目標に基づいて、ユーザに不快感を与えない範囲で負荷機器７を自動制御することができる。なお、実施形態１の負荷制御部２７４と同様の機能については説明を省略する。
【００７１】
一例として、負荷機器７が空調機器（図１９の「エアコン」）７１であって、運転目標が１日の運転時間（２時間）である場合について、図１９を用いて説明する。まず、負荷機器７がオン状態であって（Ｓ１）、運転時間が２時間を超えた時点で直ちに負荷機器７に対してオフ制御を行うことはユーザに不快感を与える可能性が高い。このため、本実施形態の負荷制御部２７４は、運転時間が運転目標時間を超えても許容する形で負荷機器７を制御する（Ｓ２の「ＮＯ」。例えば運転時間が運転目標時間（２時間）を超え、さらに２時間３０分を超えたときに（Ｓ２の「ＹＥＳ」）、負荷機器７に対してオフ制御を行う（Ｓ３）。
【００７２】
以上説明した本実施形態の管理システム１では、負荷機器７に対する消し忘れや設定忘れ等に対応できるので、運転目標を達成しやすい。
【００７３】
なお、負荷制御部２７４が負荷機器７を自動オフすることを避けてもよい。運転時間が目標運転時間を既に超えている場合のオン操作時に、表示器３が図２０に示す表示画面３８を表示し、ユーザの同意が得られた場合に、負荷制御部２７４は負荷機器７に対してオフ制御を行ってもよい。
【００７４】
（実施形態８）
実施形態８に係る管理システム１は、管理装置２が特異日を設定する点で、実施形態１に係る管理システム１と相違する。なお、実施形態１の管理システム１と同様の構成要素については、同一の符号を付して説明を省略する。
【００７５】
本実施形態の目標設定部２７１は、運転目標と運転実績とを同じ画面で表示器３に表示させない特異日を設定する。なお、実施形態１の目標設定部２７１と同様の機能については説明を省略する。
【００７６】
図２１は、特異日が設定されていない場合の目標・実績表示画面３７（図２１（ａ））と、特異日が設定されている場合の目標・実績表示画面３７（図２１（ｂ））とを示す。例えば当月の土曜日が２，９，１６，２３，３０日であり、日曜日が３，１０，１７，２４，３１日であって、土日の運転時間が平日に比べて著しく大きくなる場合、運転目標の設定が難しい。また、毎日同じ運転目標が設定されていると、土曜日・日曜日のために、目標達成への意欲が損なわれる可能性がある。この場合、目標設定部２７１がルール適用除外の特異日（土曜日・日曜日）を設定することによって、運転目標を適切に設定することができ、かつ、特異日を除く日における省エネルギーに対する意欲を向上させることができる。
【００７７】
（実施形態９）
実施形態９に係る管理システム１は、管理装置２が運転目標を人数別に記憶している点で、実施形態１に係る管理システム１と相違する。なお、実施形態１の管理システム１と同様の構成要素については、同一の符号を付して説明を省略する。
【００７８】
本実施形態の管理システム１は、予め決められた空間内（例えば居室等）の人数を検出する人数検出手段（図示せず）を備えている。人数検出手段は、例えば人感センサや手動スイッチ等である。また、人数検出手段は、空間内の人数が予め設定されていてもよい。
【００７９】
本実施形態のコントローラ側記憶部２５は、目標ルール格納エリア２５１に、運転目標を人数別に記憶している。なお、実施形態１のコントローラ側記憶部２５と同様の機能については説明を省略する。
【００８０】
本実施形態の目標設定部２７１は、人数検出手段で検出された人数に対応してコントローラ側記憶部２５に記憶されている運転目標を設定する。人数検出手段が人感センサである場合、人感センサの１日の反応回数履歴により、目標設定部２７１は、運転目標を変更する。また、人数検出手段が手動スイッチである場合、部屋の出入り口に個人別の在不在スイッチを設けることにより、目標設定部２７１は、運転目標を変更する。一方、運転目標を予め設定されている場合、個人別に滞在時間を想定した入力によって、目標設定部２７１は、運転目標を変更する。なお、実施形態１の目標設定部２７１と同様の機能については説明を省略する。
【００８１】
本実施形態の表示制御部２７３は、人数検出手段で検出された人数に対応してコントローラ側記憶部２５に記憶されている運転目標と運転実績とを同じ画面で表示器３に表示させる。なお、実施形態１の表示制御部２７３と同様の機能については説明を省略する。
【００８２】
以上説明した本実施形態の管理システム１では、人数検出手段が人数を検出することによって、目標設定部２７１は負荷機器７が設置された空間内での滞在人数に応じて運転目標を変更することができる。例えば、４人家族で土日に全員が累積して４時間以上リビングにいる場合、リビングエアコン（負荷機器７）の目標運転時間を４時間とし、平日に全員が累積して２時間リビングにいる場合、リビングエアコンの目標運転時間を２時間とした場合、表示器３は、図２２に示す目標・実績表示画面３７を表示する。なお、図２２において、「目標１」が平日の目標運転時間であり、「目標２」が休日の目標運転時間である。
【符号の説明】
【００８３】
１  管理システム
２  管理装置
２５  コントローラ側記憶部（記憶部）
２７１  目標設定部
２７２  実績取得部
２７３  表示制御部
２７４  負荷制御部
３  表示器
７  負荷機器
【図１】
2013211996.tif 000003
【図２】
2013211996.tif 000004
【図３】
2013211996.tif 000005
【図４】
2013211996.tif 000006
【図５】
2013211996.tif 000007
【図６】
2013211996.tif 000008
【図７】
2013211996.tif 000009
【図８】
2013211996.tif 000010
【図９】
2013211996.tif 000011
【図１０】
2013211996.tif 000012
【図１１】
2013211996.tif 000013
【図１２】
2013211996.tif 000014
【図１３】
2013211996.tif 000015
【図１４】
2013211996.tif 000016
【図１５】
2013211996.tif 000017
【図１６】
2013211996.tif 000018
【図１７】
2013211996.tif 000019
【図１８】
2013211996.tif 000020
【図１９】
2013211996.tif 000021
【図２０】
2013211996.tif 000022
【図２１】
2013211996.tif 000023
【図２２】
2013211996.tif 000024